【事件の表示】
　特願２０１４−１０５１８５号「遊技機」拒絶査定不服審判事件〔平成２６年１１月　６日出願公開、特開２０１４−２０８１７２号〕について、次のとおり審決する。
【結　論】
　本件審判の請求は、成り立たない。
【理　由】
第１　手続の経緯
　本願は、平成２３年９月９日に出願した特願２０１１−１９７１５６号の一部を平成２６年５月２１日に新たな特許出願としたものであって、同年９月１２日付けで手続補正がなされ、平成２７年５月１３日付け拒絶理由通知に対して、同年６月２４日付けで手続補正がなされたところ、同年１１月１３日付けで拒絶査定がなされ、これに対して、平成２８年１月１５日に拒絶査定不服審判の請求がされるとともに、同日付けで明細書についての手続補正がなされたものである。
第２　本願発明
　平成２８年１月１５日付けの手続補正は、明細書について補正をするものであり、願書に最初に添付した明細書、特許請求の範囲又は図面に記載した事項の範囲内においてしたものである。
　したがって、本願の請求項１〜３に係る発明は、平成２７年６月２４日付け手続補正書により補正された特許請求の範囲の請求項１〜３に記載された事項により特定されるとおりのものであるところ、その請求項１に係る発明（以下、「本願発明」という。）は、次のとおりのものであると認められる（記号Ａ〜Ｆは、分説するため当審で付した。）。
「【請求項１】
Ａ　始動領域を遊技媒体が通過した後に、可変表示の開始を許容する可変表示の開始条件の成立にもとづいて、可変表示を行い表示結果を導出表示する可変表示手段に特定表示結果が導出表示された場合に遊技者にとって有利な特定状態に移行させる遊技機であって、
Ｂ　前記開始条件が成立したことにもとづいて、前記特定状態に制御するか否かを決定する事前決定手段と、
Ｃ　前記事前決定手段の決定結果にもとづいて、可変表示中に、表示結果が前記特定表示結果となる可能性を予告する予告演出を実行する予告演出実行手段と、
Ｄ　前記始動領域を遊技媒体が通過したことにもとづいて、前記事前決定手段による決定前に前記特定状態に制御されるか否かを判定する始動時判定手段と、
Ｅ　前記始動時判定手段の判定結果にもとづいて、当該判定の対象となった可変表示が実行される以前に開始される可変表示中に開始前予告演出を実行する開始前予告演出実行手段とを備え、
Ｆ　前記開始前予告演出実行手段は、前記予告演出実行手段が前記予告演出を実行しない場合には可変表示中の所定のタイミングで前記開始前予告演出を実行し、前記予告演出実行手段が前記予告演出を実行する場合には可変表示中の前記予告演出を実行するタイミングと異なるタイミングで前記開始前予告演出を実行する
　ことを特徴とする遊技機。」
第３　引用文献及びその記載事項
　原査定の拒絶の理由に引用された、原出願の出願前に頒布された刊行物である特開２０１０−１５４９２７号公報（以下、「引用文献１」という。）には、図面とともに以下の事項が記載されている（下線は当審で付した。）。
（１−ア）
「【請求項１】
　
遊技媒体による第１始動領域の通過により変動表示の第１実行条件が成立した後、変動表示の開始を許容する第１開始条件の成立に基づいて、各々が識別可能な第１識別情報の変動表示を実行し、表示結果を導出表示する第１変動表示部と、前記遊技媒体による第２始動領域の通過により変動表示の第２実行条件が成立した後、変動表示の開始を許容する第２開始条件の成立に基づいて、各々が識別可能な第２識別情報の変動表示を実行し、表示結果を導出表示する第２変動表示部とを備え、第１変動表示部または第２変動表示部に導出表示された表示結果が予め定められた特定表示結果となったときに、遊技状態を通常遊技状態よりも遊技者にとって有利な特定遊技状態に制御する遊技機であって、
　前記遊技媒体が通過可能な第３始動領域と、
　前記第２始動領域を遊技媒体が通過しにくいまたは通過しない閉状態と前記第２始動領域を遊技媒体が通過可能な開状態とに変化可能であり、前記第３始動領域を遊技媒体が通過したことに基づいて当該開状態となることが可能な可変始動装置と、
　遊技者が操作可能な操作手段と、
　前記第１実行条件が成立したときに、少なくとも、前記特定遊技状態に制御するか否かを特定するための情報として数値データ群から数値データを抽出する第１抽出手段と、
　前記第１実行条件が成立したが前記第１開始条件が成立していない変動表示について、前記第１抽出手段により抽出された前記数値データを保留記憶情報として所定の上限数の範囲内で記憶可能な第１保留記憶手段と、
　前記第２実行条件が成立したときに、少なくとも、前記特定遊技状態に制御するか否かを特定するための情報として前記数値データ群から前記数値データを抽出する第２抽出手段と、
　前記第２実行条件が成立したが前記第２開始条件が成立していない変動表示について、前記第２抽出手段により抽出された前記数値データを前記保留記憶情報として所定の上限数の範囲内で記憶可能な第２保留記憶手段と、
　前記第１保留記憶手段および前記第２保留記憶手段に記憶された前記保留記憶情報の記憶数を認識可能に表示する保留記憶表示を行なう保留記憶表示部と、
　
前記第１開始条件が成立したことに基づいて、
前記第１変動表示部で実行される変動表示について、前記特定遊技状態に制御するか否かを
決定し、前記第２開始条件が成立したことに基づいて、
前記第２変動表示部で実行される変動表示について、前記特定遊技状態に制御するか否かを
決定する事前決定手段と、
　前記特定遊技状態に制御されておらず、かつ、前記第１変動表示部において前記第１識別情報の変動表示が実行されていないときに、前記事前決定手段の決定結果に応じて前記第１変動表示部の変動表示を実行する第１変動表示実行手段と、
　前記特定遊技状態に制御されておらず、かつ、前記第２変動表示部において前記第２識別情報の変動表示が実行されていないときに、前記事前決定手段の決定結果に応じて前記第２変動表示部の変動表示を実行する第２変動表示実行手段と、
　前記第２保留記憶手段に保留記憶情報が記憶されている場合は、前記第１開始条件よりも前記第２開始条件を優先して成立させる変動表示優先手段と、
　前記特定遊技状態の終了後の所定期間中において、前記通常遊技状態に比べて前記可変始動装置により前記第２始動領域を遊技媒体が通過しやすくなる通過容易化制御を行なう可変始動装置制御手段と、
　
前記第１実行条件が成立したときに
第１数値データ抽出手段により抽出された
数値データを読出し、前記第２実行条件が成立したときに
第２数値データ抽出手段により抽出された
数値データを読出して、所定の判定値と合致するか否かを判定する先読判定手段と、
　該先読判定手段の判定を制限する判定制限手段と、
　
前記先読判定手段により前記所定の判定値と合致すると判定されたことに基づいて、
当該数値データが記憶された保留記憶情報に基づく変動表示の開始条件成立前に、
保留記憶表示部の表示態様を変化させる保留予告演出を行なう保留予告演出実行手段とを備え、
　前記判定制限手段は、前記特定遊技状態に制御されているとき、および、前記特定遊技状態の終了後の所定期間中において前記通過容易化制御が行なわれているときに、前記第１実行条件が成立したことに基づく前記先読判定手段による判定を禁止することを特徴とする、遊技機。
・・・・・
【請求項５】
　
前記事前決定手段の決定結果に基づき、表示結果が前記特定表示結果となることを予告する変動予告演出を行なう変動予告演出実行手段
　
前記保留予告演出実行手段による前記保留予告演出と、前記変動予告演出実行手段による前記変動予告演出とは、異なるタイミングで実行される
遊技機。
（１−イ）
「【０００８】
・・・・・
　前記先読判定手段により前記所定の判定値と合致すると判定されたことに基づいて、前記操作手段に対する操作がされたことを条件として、当該数値データが記憶された保留記憶情報に基づく変動表示の開始条件成立前に、前記保留記憶表示部の表示態様を変化させる
保留予告演出（先読み予告）
・・・・・」
（１−ウ）
「【００２４】
　遊技領域７の中央付近には、液晶表示装置（ＬＣＤ）で構成された演出表示装置９が設けられている。
演出表示装置９の表示画面には、後述する第１特別図柄表示器８ａでの第１特別図柄、および、第２特別図柄表示器８ｂでの第２特別図柄のそれぞれの変動表示に同期した演出図柄の変動表示を行なう演出図柄表示領域がある。
（１−エ）
「【００８９】
　また、演出表示装置９については、大当りとなることを予告する報知をする予告演出である大当り予告が行なわれる場合がある。予告演出としては、第１予告演出である先読み予告と、第２予告演出である今回予告とが行なわれる場合がある。先読み予告は、保留記憶データに基づく変動表示が行なわれる際よりも前の段階で保留記憶データを先読みし、その先読み判定結果に応じて、大当りを発生させる契機となる変動表示よりも前に行なわれる変動表示において、大当りとなることを報知する予告である。ここで、先読みとは、
変動を開始するときに乱数の抽出値に基づいて各種遊技制御に関わる判定を行なうタイミングに先立って、
当り判定結果
を先読みして
今回予告は、大当りを発生させる契機となる変動表示（今回の変動表示）において、大当りとなることを報知する予告（大当りとなりやすことを予告してもよい）である。
（１−オ）
「【０１７６】
　図１０および図１１に示したように、
先読み予告の演出は、たとえば変動表示の開始時のように、演出図柄の変動表示が開始した後、まだすべての図柄が変動中である状態で実行される
・・・・・
【０１８０】
　このような今回予告の演出は、前述した先読み予告とは別個の処理により、実行するか否かの決定が行なわれる。また、
今回予告の演出は、
たとえば、演出図柄のすべての図柄が停止する前であって、少なくとも１つの図柄が停止したとき以後の所定のタイミングで実行される
【０１８１】
　なお、
先読み予告と今回予告との実行タイミングは、異なるタイミングに設定されていれば、どのようなタイミングで行なわれてもよい。たとえば、今回予告をまだすべての図柄が変動中である状態で実行し、先読み予告を演出図柄のすべての図柄が停止する前であって、少なくとも１つの図柄が停止したとき以後の所定のタイミングで実行するようにしてもよい。
【０１８２】
　
先読み予告と今回予告の演出とは、実行するか否かが別個の処理により決定される
（１−カ）
「【０４６２】
　図５０は、Ｓ５１６ｂの第２予告設定処理を示すフローチャートである。
　第２予告設定処理において、まず、前述の第１または第２先読み予告実行中フラグがセットされているか否かを判定する（Ｓ７３１）。
【０４６３】
　Ｓ７３１で先読み予告実行中フラグがセットされていないと判定されたときには、図５１（Ａ）に示す第２予告種別決定用テーブルＡを用いて、今回予告の予告演出の種別（予告なし、群予告、バトル予告のうちのいすれかの種別）を決定し（Ｓ７３２）、Ｓ７３４に進む。Ｓ７３２の処理においては、第２予告種別決定用の乱数ＳＲ７の値を抽出し、第２予告種別決定用テーブルＡを用いて、乱数ＳＲ７の値に応じて今回予告の予告演出の種別を決定する。このように、Ｓ７３２では、今回予告の予告演出の種別を選択するときに、今回予告を実行しない（予告なし）選択が行なわれる場合もある。
【０４６４】
　一方、Ｓ７３１で
先読み予告実行中フラグがセットされていると判定されたときには、
今回予告の予告演出の種別（予告なし、群予告、バトル予告のうちのいすれかの種別）を決定し
今回予告の予告演出の種別を選択するときに、今回予告を実行しない（予告なし）選択が行なわれる場合もある
（１−キ）
　上記（１−ア）の【請求項５】には、「前記事前決定手段の決定結果に基づき、表示結果が前記特定表示結果となることを予告する変動予告演出を行なう変動予告演出実行手段」と記載され、上記（１−オ）の段落【０１８０】には、「今回予告の演出は、・・・たとえば、演出図柄のすべての図柄が停止する前であって、少なくとも１つの図柄が停止したとき以後の所定のタイミングで実行される。」と記載されているところ、「変動予告演出」と「今回予告の演出」とは同じことを意味することが明らかである。
　また、上記（１−エ）の段落【００８９】には、「今回予告は、大当りを発生させる契機となる変動表示（今回の変動表示）において、大当りとなることを報知する予告（大当りとなりやすことを予告してもよい）である。」と記載され、大当りとなりやすいことを予告してもよいものであるから、今回予告の演出は、大当り（特定表示結果）となる
可能性
　以上のことから、引用文献１には、「前記事前決定手段の決定結果に基づき、演出図柄のすべての図柄が停止する前であって、少なくとも１つの図柄が停止したとき以後の所定のタイミングで、表示結果が前記特定表示結果となる可能性を予告する変動予告演出を行なう変動予告演出実行手段」が記載されていると認められる。
（１−ク）
　上記（１−ア）の【請求項１】には、「前記第１実行条件が成立したときに前記第１数値データ抽出手段により抽出された前記数値データを読出し、前記第２実行条件が成立したときに前記第２数値データ抽出手段により抽出された前記数値データを読出して、所定の判定値と合致するか否かを判定する先読判定手段」と記載されている。
　また、上記（１−エ）の段落【００８９】には、「先読みとは、
変動を開始するときに乱数の抽出値に基づいて各種遊技制御に関わる判定を行なうタイミングに先立って、
当り判定結果
を先読みして
　そうすると、引用文献１には、「変動を開始するときに乱数の抽出値に基づいて各種遊技制御に関わる判定を行なうタイミングに先立って、前記第１実行条件が成立したときに第１数値データ抽出手段により抽出された数値データを読出し、前記第２実行条件が成立したときに第２数値データ抽出手段により抽出された数値データを読出して、所定の判定値と合致するか否かを判定して、当り判定結果を先読みする先読判定手段」が記載されていると認められる。
（１−ケ）
　上記（１−ア）の【請求項１】には、「前記先読判定手段により前記所定の判定値と合致すると判定されたことに基づいて、・・・当該数値データが記憶された保留記憶情報に基づく変動表示の開始条件成立前に、前記保留記憶表示部の表示態様を変化させる保留予告演出を行なう保留予告演出実行手段」と記載されており、上記（１−オ）の段落【０１７６】には、「先読み予告の演出は、たとえば変動表示の開始時のように、演出図柄の変動表示が開始した後、まだすべての図柄が変動中である状態で実行される」と記載されている。
　ここで、引用文献１の段落【０００８】には、「保留予告演出（先読み予告）」と記載されており、「保留予告演出」と「先読み予告の演出」とが同じことを意味することは明らかであるから、引用文献１には、「前記先読判定手段により前記所定の判定値と合致すると判定されたことに基づいて、当該数値データが記憶された保留記憶情報に基づく変動表示の開始条件成立前に、演出図柄の変動表示が開始した後、まだすべての図柄が変動中である状態で、保留記憶表示部の表示態様を変化させる保留予告演出を行なう保留予告演出実行手段」が記載されていると認められる。
　上記（１−ア）〜（１−カ）の記載事項及び（１−キ）〜（１−ケ）の認定事項を総合すると、引用文献１には、次の発明（以下、「引用発明」という。）が記載されていると認められる（記号ａ〜ｆは、本願発明の記号Ａ〜Ｆに対応させて付した。）。
「ａ　遊技媒体による第１始動領域の通過により変動表示の第１実行条件が成立した後、変動表示の開始を許容する第１開始条件の成立に基づいて、各々が識別可能な第１識別情報の変動表示を実行し、表示結果を導出表示する第１変動表示部と、前記遊技媒体による第２始動領域の通過により変動表示の第２実行条件が成立した後、変動表示の開始を許容する第２開始条件の成立に基づいて、各々が識別可能な第２識別情報の変動表示を実行し、表示結果を導出表示する第２変動表示部とを備え、第１変動表示部または第２変動表示部に導出表示された表示結果が予め定められた特定表示結果となったときに、遊技状態を通常遊技状態よりも遊技者にとって有利な特定遊技状態に制御する遊技機であって、
ｂ　前記第１開始条件が成立したことに基づいて、前記第１変動表示部で実行される変動表示について、前記特定遊技状態に制御するか否かを決定し、前記第２開始条件が成立したことに基づいて、前記第２変動表示部で実行される変動表示について、前記特定遊技状態に制御するか否かを決定する事前決定手段と、
ｃ　前記事前決定手段の決定結果に基づき、演出図柄のすべての図柄が停止する前であって、少なくとも１つの図柄が停止したとき以後の所定のタイミングで、表示結果が前記特定表示結果となる可能性を予告する変動予告演出を行なう変動予告演出実行手段と、
ｄ　変動を開始するときに乱数の抽出値に基づいて各種遊技制御に関わる判定を行なうタイミングに先立って、前記第１実行条件が成立したときに第１数値データ抽出手段により抽出された数値データを読出し、前記第２実行条件が成立したときに第２数値データ抽出手段により抽出された数値データを読出して、所定の判定値と合致するか否かを判定して、当り判定結果を先読みする先読判定手段と、
ｅ　前記先読判定手段により前記所定の判定値と合致すると判定されたことに基づいて、当該数値データが記憶された保留記憶情報に基づく変動表示の開始条件成立前に、演出図柄の変動表示が開始した後、まだすべての図柄が変動中である状態で、保留記憶表示部の表示態様を変化させる保留予告演出を行なう保留予告演出実行手段とを備え、
ｆ　前記保留予告演出実行手段による前記保留予告演出と、前記変動予告演出実行手段による前記変動予告演出とは、異なるタイミングで実行される遊技機。」
第４　対比
　本願発明と引用発明とを対比する（対比にあたっては、本願発明の構成Ａ〜Ｆと引用発明の構成ａ〜ｆについて、それぞれ（ａ）〜（ｆ）の見出しを付けて行った。）。
（ａ）引用発明の「第１始動領域」及び「第２始動領域」は、本願発明の「始動領域」に相当し、引用発明の「変動表示の開始を許容する第１開始条件」及び「変動表示の開始を許容する第２開始条件」は、本願発明の「可変表示の開始を許容する可変表示の開始条件」に相当する。また、引用発明の「第１変動表示部」及び「第２変動表示部」は、本願発明の「可変表示手段」に相当し、引用発明の「特定遊技状態」は、本願発明の「特定状態」に相当する。
　そうすると、引用発明の「遊技媒体による第１始動領域の通過により変動表示の第１実行条件が成立した後、変動表示の開始を許容する第１開始条件の成立に基づいて、各々が識別可能な第１識別情報の変動表示を実行し、表示結果を導出表示する第１変動表示部と、前記遊技媒体による第２始動領域の通過により変動表示の第２実行条件が成立した後、変動表示の開始を許容する第２開始条件の成立に基づいて、各々が識別可能な第２識別情報の変動表示を実行し、表示結果を導出表示する第２変動表示部とを備え、第１変動表示部または第２変動表示部に導出表示された表示結果が予め定められた特定表示結果となったときに、遊技状態を通常遊技状態よりも遊技者にとって有利な特定遊技状態に制御する遊技機」は、
　本願発明の「始動領域を遊技媒体が通過した後に、可変表示の開始を許容する可変表示の開始条件の成立にもとづいて、可変表示を行い表示結果を導出表示する可変表示手段に特定表示結果が導出表示された場合に遊技者にとって有利な特定状態に移行させる遊技機」に相当する。
（ｂ）引用発明の「前記第１開始条件が成立したことに基づいて、前記第１変動表示部で実行される変動表示について、前記特定遊技状態に制御するか否かを決定し、前記第２開始条件が成立したことに基づいて、前記第２変動表示部で実行される変動表示について、前記特定遊技状態に制御するか否かを決定する事前決定手段」は、
　本願発明の「前記開始条件が成立したことにもとづいて、前記特定状態に制御するか否かを決定する事前決定手段」に相当する。
（ｃ）上記（１−ウ）の段落【００２４】には、「演出表示装置９の表示画面には、後述する第１特別図柄表示器８ａでの第１特別図柄、および、第２特別図柄表示器８ｂでの第２特別図柄のそれぞれの変動表示に同期した演出図柄の変動表示を行なう演出図柄表示領域がある。」と記載され、演出図柄の変動表示が第１特別図柄（第１識別情報）及び第２特別図柄（第２識別情報）の変動表示に同期するものであることが示されているから、引用発明の「演出図柄のすべての図柄が停止する前であって、少なくとも１つの図柄が停止したとき以後の所定のタイミング」は、「可変表示中」ということができる。
　また、引用発明の「変動予告演出」は、本願発明の「予告演出」に相当する。
　そうすると、引用発明の「前記事前決定手段の決定結果に基づき、演出図柄のすべての図柄が停止する前であって、少なくとも１つの図柄が停止したとき以後の所定のタイミングで、表示結果が前記特定表示結果となる可能性を予告する変動予告演出を行なう変動予告演出実行手段」は、
　本願発明の「前記事前決定手段の決定結果にもとづいて、可変表示中に、表示結果が前記特定表示結果となる可能性を予告する予告演出を実行する予告演出実行手段」に相当する。
（ｄ）引用発明の「前記第１実行条件」、「前記第２実行条件」は、それぞれ「遊技媒体による第１始動領域の通過」、「遊技媒体による第２始動領域の通過」により成立するから、引用発明の「前記第１実行条件が成立した」こと、及び「前記第２実行条件が成立した」ことは、本願発明の「前記始動領域を遊技媒体が通過した」ことに相当する。
　また、引用発明の「変動を開始するときに乱数の抽出値に基づいて各種遊技制御に関わる判定を行なうタイミングに先立って」は、本願発明の「前記事前決定手段による決定前に」に相当する。
　さらに、引用発明の「第１数値データ抽出手段により抽出された数値データを読出し、」「第２数値データ抽出手段により抽出された数値データを読出して、所定の判定値と合致するか否かを判定して、当り判定結果を先読みする」ことは、本願発明の「前記特定状態に制御されるか否かを判定する」ことに相当する。
　そうすると、引用発明の「変動を開始するときに乱数の抽出値に基づいて各種遊技制御に関わる判定を行なうタイミングに先立って、前記第１実行条件が成立したときに第１数値データ抽出手段により抽出された数値データを読出し、前記第２実行条件が成立したときに第２数値データ抽出手段により抽出された数値データを読出して、所定の判定値と合致するか否かを判定して、当り判定結果を先読みする先読判定手段」は、
　本願発明の「前記始動領域を遊技媒体が通過したことにもとづいて、前記事前決定手段による決定前に前記特定状態に制御されるか否かを判定する始動時判定手段」に相当する。
（ｅ）引用発明の「前記先読判定手段により前記所定の判定値と合致すると判定されたこと」は、本願発明の「前記始動時判定手段の判定結果」に相当する。
　また、引用発明の「当該数値データが記憶された保留記憶情報に基づく変動表示の開始条件成立前」は、本願発明の「当該判定の対象となった可変表示が実行される以前」に相当し、引用発明の「演出図柄の変動表示が開始した後、まだすべての図柄が変動中である状態」は、「可変表示中」ということができる。
　さらに、引用発明の「保留記憶表示部の表示態様を変化させる保留予告演出」は、本願発明の「開始前予告演出」に相当する。
　そうすると、引用発明の「前記先読判定手段により前記所定の判定値と合致すると判定されたことに基づいて、当該数値データが記憶された保留記憶情報に基づく変動表示の開始条件成立前に、演出図柄の変動表示が開始した後、まだすべての図柄が変動中である状態で、保留記憶表示部の表示態様を変化させる保留予告演出を行なう保留予告演出実行手段」は、
　本願発明の「前記始動時判定手段の判定結果にもとづいて、当該判定の対象となった可変表示が実行される以前に開始される可変表示中に開始前予告演出を実行する開始前予告演出実行手段」に相当する。
（ｆ）引用発明の「前記保留予告演出実行手段による前記保留予告演出と、前記変動予告演出実行手段による前記変動予告演出とは、異なるタイミングで実行される」構成について、「保留予告演出」と「変動予告演出」の両方が実行される場合が前提であることは明らかであるし、引用発明の構成ｅから、引用発明も「可変表示中」に保留予告演出を実行するものであるから、引用発明は、「前記予告演出実行手段が前記予告演出を実行する場合には可変表示中の前記予告演出を実行するタイミングと異なるタイミングで前記開始前予告演出を実行する」ものであるといえる。
　そうすると、引用発明の「前記保留予告演出実行手段による前記保留予告演出と、前記変動予告演出実行手段による前記変動予告演出とは、異なるタイミングで実行される」点と、
　本願発明の「前記開始前予告演出実行手段は、前記予告演出実行手段が前記予告演出を実行しない場合には可変表示中の所定のタイミングで前記開始前予告演出を実行し、前記予告演出実行手段が前記予告演出を実行する場合には可変表示中の前記予告演出を実行するタイミングと異なるタイミングで前記開始前予告演出を実行する」点とは、
　「前記開始前予告演出実行手段は、前記予告演出実行手段が前記予告演出を実行する場合には可変表示中の前記予告演出を実行するタイミングと異なるタイミングで前記開始前予告演出を実行する」点において共通する。
　上記（ａ）〜（ｆ）により、本願発明と引用発明とは、
（一致点）
「Ａ　始動領域を遊技媒体が通過した後に、可変表示の開始を許容する可変表示の開始条件の成立にもとづいて、可変表示を行い表示結果を導出表示する可変表示手段に特定表示結果が導出表示された場合に遊技者にとって有利な特定状態に移行させる遊技機であって、
Ｂ　前記開始条件が成立したことにもとづいて、前記特定状態に制御するか否かを決定する事前決定手段と、
Ｃ　前記事前決定手段の決定結果にもとづいて、可変表示中に、表示結果が前記特定表示結果となる可能性を予告する予告演出を実行する予告演出実行手段と、
Ｄ　前記始動領域を遊技媒体が通過したことにもとづいて、前記事前決定手段による決定前に前記特定状態に制御されるか否かを判定する始動時判定手段と、
Ｅ　前記始動時判定手段の判定結果にもとづいて、当該判定の対象となった可変表示が実行される以前に開始される可変表示中に開始前予告演出を実行する開始前予告演出実行手段とを備え、
Ｆ’前記開始前予告演出実行手段は、前記予告演出実行手段が前記予告演出を実行する場合には可変表示中の前記予告演出を実行するタイミングと異なるタイミングで前記開始前予告演出を実行する遊技機。」
である点で一致し、構成Ｆ’に関する以下の点で相違している。
（相違点）
　本願発明では、開始前予告演出実行手段が、「前記予告演出実行手段が前記予告演出を実行しない場合には可変表示中の所定のタイミングで前記開始前予告演出を実行」するのに対して、引用発明では、開始前予告演出実行手段がそのような構成を有するか否か明らかでない点。
第５　判断
　上記相違点について検討する。
　請求項１には、予告演出実行手段が予告演出を実行しない場合の開始前予告演出の実行タイミングについて、「可変表示中の所定のタイミング」と特定されているのみであるから、本願発明は、例えば演出図柄の変動表示が開始した後、まだすべての図柄が変動中である状態のタイミングで開始前予告演出を実行する構成も含むものである。
　そして、上記（１−オ）の記載事項によれば、引用文献１の段落【０１８２】には、先読み予告と今回予告の演出とは、実行するか否かが別個の処理により決定されることが記載されている。
　また、上記（１−カ）の記載事項によれば、引用文献１の段落【０４６４】には、先読み予告実行中フラグがセットされていると判定されたときには、今回予告の予告演出の種別（予告なし、群予告、バトル予告のうちのいすれかの種別）を決定し、今回予告の予告演出の種別を選択するときに、今回予告を実行しない（予告なし）選択が行なわれる場合もあることが記載されている。
　ここで、引用文献１の「先読み予告の演出」、「今回予告の演出」は、それぞれ本願発明の「開始前予告演出」、「予告演出」に相当するから、引用文献１には、予告演出を実行しない場合に開始前予告演出を実行する場合もあることが示唆されているといえる。
　そうすると、引用発明において、予告演出実行手段が予告演出を実行しない場合には、可変表示中の所定のタイミング、例えば予告演出実行手段が予告演出を実行する場合と同様に、演出図柄の変動表示が開始した後、まだすべての図柄が変動中である状態のタイミングで開始前予告演出を実行するように構成して、上記相違点における本願発明の構成とすることは、当業者が容易に想到できたことである。
　そして、本願発明の作用効果も、引用発明及び引用文献１の記載事項から当業者が予測できる範囲のものであり、格別顕著なものとはいえない。
　なお、請求人は審判請求書において、「・・・開始前予告演出を、予告演出を実行する場合と実行しない場合とで異なるタイミングで実行することが可能である。・・・本願の補正後の請求項１に係る発明は、予告演出を実行する場合、予告演出のタイミングに応じて開始前予告演出の実行タイミングが変更可能であるので、多様なタイミングで開始前予告演出を実行することができるという引用文献１に記載されていない効果が得ることがでる。」（第４頁第１６〜２６行）と主張している。
　しかしながら、上述のとおり、本願発明は、演出図柄の変動表示が開始した後、まだすべての図柄が変動中である状態のタイミングで開始前予告演出を実行する構成も含むものであるから、引用発明及び引用文献１の記載事項から当業者が容易に想到することができたものである。
　そして、予告演出実行手段が予告演出を実行しない場合には、可変表示の期間内のいずれのタイミングで開始前予告演出を実行しても、予告演出と開始前予告演出とが同時並列的に実行されて遊技者が混乱するおそれはないため、可変表示の期間内で開始前予告演出のタイミングを変更することは、当業者が適宜なし得たことである。
　さらに、引用文献１の段落【０１８１】には、「先読み予告と今回予告との実行タイミングは、異なるタイミングに設定されていれば、どのようなタイミングで行なわれてもよい。たとえば、今回予告をまだすべての図柄が変動中である状態で実行し、先読み予告を演出図柄のすべての図柄が停止する前であって、少なくとも１つの図柄が停止したとき以後の所定のタイミングで実行するようにしてもよい。・・・」と記載されているから、開始前予告演出のタイミングとしては、演出図柄のすべての図柄の変動中だけでなく、少なくとも１つの図柄が停止したとき以降のタイミングで実行することも可能であることが示されているといえる。
　そうすると、請求人の上記主張は、採用することができない。
第６　むすび
　以上のとおり、本願発明は、引用発明及び引用文献１の記載事項に基づいて当業者が容易に発明をすることができたものであるから、特許法第２９条第２項の規定により特許を受けることができないものである。
　したがって、その余の請求項について検討するまでもなく、本願は拒絶すべきものである。
　よって、結論のとおり審決する。